(57)【要約】  【目的】  自然エネルギー及び再生可能エネルギー起源燃料の供給及び輸送についての信頼性を付与した技術を提供する。  【構成】  燃料を貯蔵する供給者タンクと、そのタンクを制御する供給者システムと、燃料を利用する利用者タンクと、そのタンクを制御する利用者システムと、供給者タンクの燃料を利用者タンクに輸送する輸送設備とをネットワークを介して接続し、燃料供給者、燃料利用者及び輸送設備に対し、識別ＩＤを発行し、購入希望データを取引データとして記憶し、その取引データに基づいて輸送計画を作成する。燃料供給者から燃料の輸送要求データを受信し、認証確認後、輸送ＩＤを参照して供給者貯蔵タンクに開放要求データを送信し、輸送設備に供給者タンクから利用者タンクへ燃料の輸送指示データを送信する。輸送設備に積載された燃料と輸送設備から利用者貯蔵タンクへ輸送される燃料の輸送量データとを記憶し、これをもとにインベントリーを作成する。【選択図】    図１
2006117428.tif 000002
【特許請求の範囲】
【請求項１】
燃料供給者が製造または調達した燃料を貯蔵する供給者貯蔵タンクと、供給者貯蔵タンクを制御する燃料供給者システムと、前記燃料を利用する燃料利用者に係る利用者貯蔵タンクと、その利用者貯蔵タンクを制御する燃料利用者システムと、前記供給者貯蔵タンクに貯蔵された燃料を利用者貯蔵タンクに輸送する輸送設備と通信ネットワークを介して接続された輸送管理システムであって、
前記燃料供給者システム、燃料利用者システムおよび輸送設備を予め利用者登録するための利用申請データを受信する利用申請データ受信手段と、
その利用申請データに基づいて、燃料供給者システム、燃料利用者システムおよび輸送設備に対し、識別ＩＤを発行する識別ＩＤ発行手段と、
前記燃料利用者システムが燃料の購入を希望する場合に、その燃料に係る購入希望データを受信する購入希望データ受信手段と、
前記燃料利用者システムと前記燃料供給者システムとの間で売買契約が成立した場合に、前記購入希望データを取引データとして記憶する取引データ記憶手段と、
その取引データに基づいて輸送計画を作成する輸送計画作成手段と、
その輸送計画を前記取引データとともに輸送ＩＤとして記憶する輸送ＩＤ記憶手段と、
その輸送ＩＤを燃料供給者システムおよび燃料利用者システムに対して送信する輸送ＩＤ送信手段と、
前記燃料供給者システムから燃料の輸送を希望する旨の燃料輸送要求データを受信する燃料輸送要求データ受信手段と、
その燃料輸送要求データを送信した燃料供給者システムの識別ＩＤおよび輸送ＩＤが登録済みのＩＤであるか否かの認証確認を行う識別ＩＤ認証手段と、
その識別ＩＤおよび輸送ＩＤが登録済みＩＤであることが確認できた場合に、輸送ＩＤを参照して供給者貯蔵タンクに開放要求データを送信する開放要求データ送信手段と、
開放要求データを受信した供給者貯蔵タンクが開放されたことが確認された場合に、前記輸送設備に供給者貯蔵タンクから利用者貯蔵タンクへ燃料の輸送指示データを送信する輸送指示データ送信手段と、
前記輸送設備に積み込まれた燃料と、輸送設備から利用者貯蔵タンクへ輸送される燃料の輸送量データとを記憶する輸送量データ記憶手段と、
を備えたことを特徴とする輸送管理システム。
【請求項２】
前記燃料は自然エネルギーおよび再生可能エネルギー起源燃料であることを特徴とする請求項１記載の輸送管理システム。
【請求項３】
前記輸送量データに基づいて、燃料供給者および燃料利用者が燃料の取引を行ったとされる証を作成するインベントリー作成手段と、そのインベントリーを記憶するインベントリー記憶手段と、前記燃料供給者および燃料利用者に対してインベントリーを送信するインベントリー送信手段と、を備えたことを特徴とする請求項１または２のいずれかに記載の輸送管理システム。
【請求項４】
前記インベントリーを別の第三者機関に送信する第二第三者機関送信手段と、その第二第三者機関によってインベントリーの整合性がチェックされた認証済みインベントリーを受信する認証済みインベントリーを受信手段と、を備えたことを特徴とする請求項３に記載の輸送管理システム。
【請求項５】
コンピュータ制御された燃料供給者に係る供給者貯蔵タンクに格納された自然エネルギーおよび再生可能エネルギー起源燃料を、輸送設備を介してコンピュータ制御された燃料利用者に係る利用者貯蔵タンクに輸送するとともに、供給者貯蔵タンクと利用者貯蔵タンクと輸送設備とが通信ネットワークを介して接続された輸送管理方法であって、
前記燃料供給者、燃料利用者および輸送設備を予め利用者登録して識別ＩＤを発行し、その識別ＩＤを記憶する識別ＩＤ記憶手順と、
前記燃料利用者が自然エネルギーおよび再生可能エネルギー起源燃料の購入を希望する場合に、その自然エネルギーおよび再生可能エネルギー起源燃料に係る購入希望データを受信し、燃料利用者と燃料供給者との間で売買契約が成立した場合に、前記購入希望データを取引データとして記憶する取引データ記憶手順と、
その取引データに基づいて輸送計画を作成する輸送計画作成手順と、
その輸送計画を前記取引データとともに輸送ＩＤとして記憶する輸送ＩＤ記憶手順と、
その輸送ＩＤを燃料供給者システムおよび燃料利用者システムに対して送信する輸送ＩＤ送信手順と、
前記燃料供給者から燃料の輸送を希望する旨の燃料輸送要求データを受信した場合に、燃料供給者の識別ＩＤおよび輸送ＩＤが登録済みのＩＤであるか否かの認証確認を行う識別ＩＤ認証手順と、
その識別ＩＤおよび輸送ＩＤが登録済みＩＤであることが確認できた場合に、前記供給者貯蔵タンクに開放要求データを送信し、その供給者貯蔵タンクが開放されたことが確認された場合に、前記輸送設備に供給者貯蔵タンクから利用者貯蔵タンクへ自然エネルギーおよび再生可能エネルギー起源燃料の輸送指示データを送信する輸送指示データ送信手順と、
前記輸送設備に積み込まれた自然エネルギーおよび再生可能エネルギー起源燃料と、輸送設備から利用者貯蔵タンクへ輸送される自然エネルギーおよび再生可能エネルギー起源燃料の輸送量データとを記憶する輸送量データ記憶手順と、
を備えたことを特徴とする輸送管理方法。
【請求項６】
前記輸送量データに基づいて、燃料供給者および燃料利用者が自然エネルギーおよび再生可能エネルギー起源燃料の取引を行ったとされる証を作成するインベントリー作成手順と、そのインベントリーを記憶するインベントリー記憶手順と、
前記燃料供給者および燃料利用者に対してインベントリーを送信するインベントリー送信手順と、
を備えたことを特徴とする請求項５記載の輸送管理方法。
【請求項７】
コンピュータに対し、コンピュータ制御された燃料供給者に係る供給者貯蔵タンクに格納された自然エネルギーおよび再生可能エネルギー起源燃料を、輸送設備を介してコンピュータ制御された燃料利用者に係る利用者貯蔵タンクに輸送するとともに、供給者貯蔵タンクと利用者貯蔵タンクと輸送設備とが通信ネットワークを介して接続された輸送管理方法をコンピュータに実行するためのプログラムであって、
そのプログラムは、前記燃料供給者、燃料利用者および輸送設備を予め利用者登録して識別ＩＤを発行し、その識別ＩＤを記憶する識別ＩＤ記憶手順と、
前記燃料利用者が自然エネルギーおよび再生可能エネルギー起源燃料の購入を希望する場合に、その自然エネルギーおよび再生可能エネルギー起源燃料に係る購入希望データを受信し、燃料利用者と燃料供給者との間で売買契約が成立した場合に、前記購入希望データを取引データとして記憶する取引データ記憶手順と、
その取引データに基づいて輸送計画を作成する輸送計画作成手順と、
その輸送計画を前記取引データとともに輸送ＩＤとして記憶する輸送ＩＤ記憶手順と、
その輸送ＩＤを燃料供給者システムおよび燃料利用者システムに対して送信する輸送ＩＤ送信手順と、
前記燃料供給者から燃料の輸送を希望する旨の燃料輸送要求データを受信した場合に、燃料供給者の識別ＩＤおよび輸送ＩＤが登録済みのＩＤであるか否かの認証確認を行う識別ＩＤ認証手順と、
その識別ＩＤおよび輸送ＩＤが登録済みＩＤであることが確認できた場合に、前記供給者貯蔵タンクに開放要求データを送信し、その供給者貯蔵タンクが開放されたことが確認された場合に、前記輸送設備に供給者貯蔵タンクから利用者貯蔵タンクへ自然エネルギーおよび再生可能エネルギー起源燃料の輸送指示データを送信する輸送指示データ送信手順と、
前記輸送設備に積み込まれた自然エネルギーおよび再生可能エネルギー起源燃料と、輸送設備から利用者貯蔵タンクへ輸送される自然エネルギーおよび再生可能エネルギー起源燃料の輸送量データとを記憶する輸送量データ記憶手順と、
輸送量データに基づいて、燃料供給者および燃料利用者が自然エネルギーおよび再生可能エネルギー起源燃料の取引を行ったとされる証を作成するインベントリー作成手順と、そのインベントリーを記憶するインベントリー記憶手順と、
前記燃料供給者および燃料利用者に対してインベントリーを送信するインベントリー送信手順と、
を備えたことを特徴とするコンピュータプログラム。
【発明の詳細な説明】
【技術分野】
【０００１】
本発明は、輸送管理システムの技術に関し、特に、自然エネルギーおよび再生可能エネルギー起源燃料の輸送管理を合理的に行うための技術に関する。
【背景技術】
【０００２】
平成１５年３月、電気事業者に対し、新エネルギーから得られる電気を一定量以上利用することを義務付けた「電気事業者による新エネルギー等の利用に関する特別措置法」（以下、ＲＰＳ（Renewable  Portfolio  Standard:再生可能エネルギー導入基準）法と表記する）が閣議決定された。ＲＰＳ法は、産業の発達とともに石油や石炭などの従来エネルギーの消費量が増え、二酸化炭素の発生量が増加し、結果的に地球規模で温暖化現象が進行していることに鑑みて制定されたものである。
【０００３】
ＲＰＳ法で対象となる新エネルギーは、化石燃料や原子力を使わないエネルギーであって、風力、太陽光、バイオマス、水力、地熱、その他政令で定められたものである。このＲＰＳ法は、電気事業者に対し、前年度の電気の供給量に応じて基準利用量が設定される。そして、正当な理由がなく設定された基準利用量が未達となった場合には、罰金などの罰則が科せられることになっている。ここで、本出願人は、再生可能エネルギー関連の発明を出願している（例えば、特許文献１参照）。
【０００４】
【特許文献１】特開２００１−３０６７５５号
【０００５】
特許文献１に記載されている技術は、再生可能エネルギー発電が、環境に対してどのような付加価値があるかを正当に評価するためのシステムであって、再生可能エネルギー発電事業者から、その事業により環境に貢献していることの権利を購入し、その権利は環境貢献意思をもつ電力消費者に売却する。この権利の売買時は、発電量または環境貢献度を定量化して証書により行う技術である。
【発明の開示】
【発明が解決しようとする課題】
【０００６】
一方、特許文献１に記載されているようなシステムは存在するものの、ＲＰＳ法に基づいたシステムおよびそのシステムを合理的に運営するための技術は確立していない。すなわち、ＲＰＳ法では、再生可能エネルギーの利用者（以下、燃料利用者と表記する）が再生可能エネルギーの供給者（以下、燃料供給者と表記する）から再生可能エネルギーをどれだけ取得し、かつ消費したというデータを証明する必要があり、この証明（以下、インベントリーと表記する）を容易かつ確実に行うための技術は確立されていないのが現状である。例えば、インベントリーにおいては、燃料供給者および燃料利用者の双方が取引内容を独自に取り決めてしまうような事態が想定でき、そのような事態を許してしまえばインベントリー自体の信頼性が揺らいでしまう。
【０００７】
また、再生可能エネルギーを利用するには、通常、燃料供給者の燃料貯蔵設備から輸送車などの輸送設備を介して燃料利用者に輸送される。この輸送に関しても効率的なシステムの構築が望まれていた。例えば、燃料供給者の燃料貯蔵設備がＸ地点およびＹ地点など、複数の燃料貯蔵設備を有する場合に、Ｘ地点の燃料貯蔵設備から燃料を積み込んだ輸送車がＢ地点、Ｃ地点およびＤ地点といった複数の輸送先、輸送時間が異なる燃料利用者へ燃料を輸送することになる場合が想定される。ここで仮に、輸送後の空となった輸送車タンクの状態での移動距離が長いとすれば、ガソリンなどの輸送車の燃料が無駄になってしまう。それでは環境貢献の趣旨を全うしているとは言えず、いかに効率的な輸送を行うかが課題となる。
【０００８】
本発明が解決しようとする課題は、自然エネルギーおよび再生可能エネルギー起源燃料の製造および輸送についての取引内容に関する信頼性を増大させる技術を提供することにある。また、輸送設備を含めての効率的な技術を併せて提供することにある。
【課題を解決するための手段】
【０００９】
（請求項１）
請求項１記載の発明は、燃料供給者が製造または調達した燃料を貯蔵する供給者貯蔵タンクと、供給者貯蔵タンクを制御する燃料供給者システムと、前記燃料を利用する燃料利用者に係る利用者貯蔵タンクと、その利用者貯蔵タンクを制御する燃料利用者システムと、前記供給者貯蔵タンクに貯蔵された燃料を利用者貯蔵タンクに輸送する輸送設備と通信ネットワークを介して接続された自然エネルギーおよび再生可能エネルギー起源燃料の輸送管理システムを提供する。
すなわち、前記燃料供給者システム、燃料利用者システムおよび輸送設備を予め利用者登録するための利用申請データを受信する利用申請データ受信手段と、その利用申請データに基づいて、燃料供給者システム、燃料利用者システムおよび輸送設備に対し、識別ＩＤを発行する識別ＩＤ発行手段と、前記燃料利用者システムが燃料の購入を希望する場合に、その燃料に係る購入希望データを受信する購入希望データ受信手段と、前記燃料利用者システムと前記燃料供給者システムとの間で売買契約が成立した場合に、前記購入希望データを取引データとして記憶する取引データ記憶手段と、その取引データに基づいて輸送計画を作成する輸送計画作成手段と、その輸送計画を前記取引データとともに輸送ＩＤとして記憶する輸送ＩＤ記憶手段と、その輸送ＩＤを燃料供給者システムおよび燃料利用者システムに対して送信する輸送ＩＤ送信手段と、前記燃料供給者システムから燃料の輸送を希望する旨の燃料輸送要求データを受信する燃料輸送要求データ受信手段と、その燃料輸送要求データを送信した燃料供給者システムの識別ＩＤおよび輸送ＩＤが登録済みのＩＤであるか否かの認証確認を行う識別ＩＤ認証手段と、その識別ＩＤおよび輸送ＩＤが登録済みＩＤであることが確認できた場合に、輸送ＩＤを参照して供給者貯蔵タンクに開放要求データを送信する開放要求データ送信手段と、開放要求データを受信した供給者貯蔵タンクが開放されたことが確認された場合に、前記輸送設備に供給者貯蔵タンクから利用者貯蔵タンクへ燃料の輸送指示データを送信する輸送指示データ送信手段と、前記輸送設備に積み込まれた燃料と、輸送設備から利用者貯蔵タンクへ輸送される燃料の輸送量データとを記憶する輸送量データ記憶手段と、を備えた自然エネルギーおよび再生可能エネルギー起源燃料の輸送管理システムに係る。
【００１０】
（用語説明）
「第三者機関の認証設備」とは、第三者機関によって燃料を製造する設備として認証された設備のことである。
「燃料」とは、他の請求項で特定するが、風力、太陽光、などの自然エネルギーおよび再生可能エネルギー起源燃料のことである。
「輸送設備」とは、主に、輸送車などのことである。輸送設備は、燃料供給者または燃料利用者とは関連しない輸送業者などが運営する。また、燃料供給者または燃料利用者のどちらか一方のシステム内に備えられる場合もある。
「利用申請データ」とは、本システムを利用する際に必要となる申込データとした、いわゆるユーザ登録のことである。この利用申請を行った後に初めて本システムが利用可能となる。
「識別ＩＤ」とは、本システムの利用申請者に対して、正規会員であるという証明として所定の番号などの電子データを割り振った識別子のことである。この「識別ＩＤ」は、燃料供給者、燃料利用者および輸送設備にそれぞれ発行される。また、各貯蔵タンクにも個別の識別ＩＤが付与される場合もある。
「購入希望データ」とは、燃料利用者が燃料供給者の持っている燃料の中から希望条件に適合する燃料を選択したデータのことである。これには、購入希望社名（燃料供給者）、燃料種類（エタノール、メタノール、水素など）、熱量の上下限、主成分、不純物量、納期、上限価格のほか、納期を優先するなどの優先項目入力データなどの各種データがある。
「輸送計画作成手段」とは、複数の輸送車や、取引データに係る供給者貯蔵タンク、利用者貯蔵タンクなどに基づいて最も合理的な輸送ルートを算出するアルゴリズムを備えた演算手段である。例えば、燃料積載容量の異なる複数の輸送車があれば、取引データに応じて輸送にて使用する輸送車を使い分けたりする場合もある。
「輸送ＩＤ」とは、輸送データに基づいて作成され、所定の番号などの電子データを割り振った識別子のことである。この輸送ＩＤは、燃料供給者および燃料利用者に送信され、燃料の輸送要求がされた際に整合性のチェックとして用いられる。
「燃料輸送要求データ」とは、燃料供給者が燃料の輸送を所望する場合に、本システムに対して送信するデータのことである。なお、燃料利用者が送信する場合もある。
「開放要求データ」とは、燃料輸送要求を行った燃料供給者が正規の登録会員であることの確認が取れたため、燃料供給者システムに対し、供給者貯蔵タンクの開閉弁の開放を要求するデータのことである。
「輸送指示データ」とは、輸送設備から利用者貯蔵タンクに燃料の積み込みを指示する際のデータである。
「輸送量データ」とは、実際に供給者貯蔵タンクから輸送設備に積み込んだ際の積み込み日時、積み込み量および輸送車ＩＤのことである。また、輸送設備から利用者貯蔵タンクに供給する場合には、供給日時、供給量および輸送車ＩＤとなる。
「燃料供給者」とは自ら製造した燃料もしくは外部から調達した燃料を貯蔵・供給する者である。
【００１１】
（作用）
利用申請データ受信手段が燃料供給者システム、燃料利用者システムおよび輸送設備を利用者登録するための利用申請データを受信する。識別ＩＤ発行手段が燃料供給者システム、燃料利用者システムおよび輸送設備の識別ＩＤを発行する。燃料利用者システムが燃料の購入を希望する場合、購入希望データ受信手段がその燃料に係る購入希望データを受信する。燃料利用者システムと前記燃料供給者システムとの間で売買契約が成立した場合に、取引データ記憶手段が購入希望データを取引データとして記憶する。
輸送計画作成手段が取引データに基づいて輸送計画を作成し、作成された輸送計画を前記取引データとともに輸送データとして記憶する。輸送ＩＤ送信手段が輸送データを輸送ＩＤとして作成し、その輸送ＩＤを燃料供給者システムおよび燃料利用者システムに対して送信する燃料輸送要求データ受信手段が、燃料供給者システムから燃料の輸送要求となる燃料輸送要求データを受信する。識別ＩＤ認証手段が、燃料輸送要求データを送信した燃料供給者システムが識別ＩＤに登録されているか否かを認証確認する。
識別ＩＤが登録済みの識別ＩＤであることが確認できた場合に、開放要求データ送信手段が輸送ＩＤを参照して供給者貯蔵タンクに開放要求データを送信する。開放要求データを受信した供給者貯蔵タンクが開放されたことが確認されると、輸送指示データ送信手段が輸送設備に供給者貯蔵タンクから利用者貯蔵タンクへ燃料の輸送指示データを送信する。輸送量データ記憶手段が輸送設備に積み込まれた燃料と、輸送設備から利用者貯蔵タンクへ輸送される燃料の輸送量データを記憶する。
すなわち、燃料供給者、輸送設備および燃料利用者を中央管理装置に識別ＩＤが付与され、売買契約に基づいて作成された輸送計画から輸送ＩＤが作成される。そして、実際の燃料輸送時には、それぞれの識別ＩＤおよび輸送ＩＤの整合性がチェックされる。このチェックは燃料供給者および燃料利用者とは別の第三者機関によって行われるため、取引の信頼性が向上する。
また、燃料の輸送管理は、輸送計画作成手段が作成した輸送計画に基づいて遠隔制御によって行われ、輸送設備への燃料積み込みから燃料利用者の貯蔵タンクへの燃料供給までを自動制御することができる。例えば、供給者貯蔵タンクに最も近い場所にある輸送車を選択するなどにより、効率的なシステムとすることができる。
【００１２】
（請求項２）
請求項２記載の発明は、請求項１に記載の自然エネルギーおよび再生可能エネルギー起源燃料の輸送管理システムを限定したものであり、前記燃料は自然エネルギーおよび再生可能エネルギー起源燃料であることを特徴とする。
【００１３】
「自然エネルギーおよび再生可能エネルギー起源燃料」とは、風力、太陽光、地熱、水力のエネルギーを用いて製造した燃料、あるいはバイオマス由来の燃料を液化または気化して貯蔵可能な燃料として生成したものである。
【００１４】
（請求項３）
請求項３記載の発明は、請求項１または請求項２に記載の自然エネルギーおよび再生可能エネルギー起源燃料の輸送管理システムを限定したものであり、
前記輸送量データに基づいて、燃料供給者および燃料利用者が自然エネルギーおよび再生可能エネルギー起源燃料の取引を行ったとされる証を作成するインベントリー作成手段と、そのインベントリーを記憶するインベントリー記憶手段と、前記燃料供給者および燃料利用者に対してインベントリーを送信するインベントリー送信手段と、を備えたことを特徴とする。
【００１５】
（用語説明）
「インベントリー」とは、輸送量データに基づいて電子データとして識別可能に作成された証書のことである。このインベントリーは、燃料供給者および燃料利用者に対して、定期的に発行される。このインベントリーは、公的機関に対しての自然エネルギーおよび再生可能エネルギー起源燃料の利用証明書としての役割を果たす。また、インベントリーは、燃料供給者システムおよび燃料利用者システムから国や政府などの公的機関に送信する場合もある。公的機関は、送られてきたインベントリーを確認することで、燃料供給者および燃料利用者の第三者機関による客観的なデータとしての製造量や利用量を一目することができる。
「インベントリー記憶手段」とは、インベントリーを記憶装置などに記憶することであり、代表的な記憶装置としてはハードディスクなどがある。この記憶手段には、インベントリーのほか、利用申請データ、識別ＩＤ、輸送ＩＤ、燃料輸送要求データ、開放要求データおよび輸送量データが記憶される場合もある。また、記憶装置は、本システムとは物理的に離れた場所に設ける場合もある。
【００１６】
（作用）
インベントリー作成手段が、輸送量データに基づいて燃料供給者および燃料利用者が自然エネルギーおよび再生可能エネルギー起源燃料の取引を行ったとされる証を作成する。インベントリー記憶手段が作成したインベントリーを記憶する。インベントリー送信手段が燃料供給者および燃料利用者に対してインベントリーを送信する。
すなわち、燃料供給者および燃料利用者に係る取引データをインベントリーとして作成して送信することで、自然エネルギーおよび再生可能エネルギー起源燃料の供給量および使用量を公的機関などに対して証明することができる。
【００１７】
（請求項４）
請求項４記載の発明は、請求項３に記載の自然エネルギーおよび再生可能エネルギー起源燃料の輸送管理システムを限定したものであり、
前記インベントリーを別の第三者機関に送信する第二第三者機関送信手段と、その第二第三者機関によってインベントリーの整合性がチェックされた認証済みインベントリーを受信する認証済みインベントリーを受信手段と、を備えたことを特徴とする。
ここで「別の第三者機関である第二第三者機関」とは、信頼性を高めるために設けられたインベントリーを認証するための認証機関である。例えば、中央管理装置が燃料供給者または燃料利用者によって運営されている場合には、インベントリーの信頼性としては不十分となる場合があるが、このような形態とすれば信頼性の問題が解消される。また、第三者機関が国や政府で運営されている場合でも、客観性、信頼性を高めるために第二第三者機関を採用することもある。
【００１８】
（作用）
請求項４に記載の発明によれば、第二第三者機関送信手段が、インベントリーを別の第三者機関に対して送信する。認証済みインベントリー受信手段が、第二第三者機関によってインベントリーの整合性がチェックされた認証済みインベントリーを受信する。
【００１９】
（請求項５）
請求項５記載の発明は、コンピュータ制御された燃料供給者に係る供給者貯蔵タンクに格納された自然エネルギーおよび再生可能エネルギー起源燃料を、輸送設備を介してコンピュータ制御された燃料利用者に係る利用者貯蔵タンクに輸送するとともに、供給者貯蔵タンクと利用者貯蔵タンクと輸送設備とが通信ネットワークを介して接続された輸送管理方法を提供する。
すなわち、前記燃料供給者、燃料利用者および輸送設備を予め利用者登録して識別ＩＤを発行し、その識別ＩＤを記憶する識別ＩＤ記憶手順と、  前記燃料利用者が自然エネルギーおよび再生可能エネルギー起源燃料の購入を希望する場合に、その自然エネルギーおよび再生可能エネルギー起源燃料に係る購入希望データを受信し、燃料利用者と燃料供給者との間で売買契約が成立した場合に、前記購入希望データを取引データとして記憶する取引データ記憶手順と、その取引データに基づいて輸送計画を作成する輸送計画作成手順と、その輸送計画を前記取引データとともに輸送ＩＤとして記憶する輸送ＩＤ記憶手順と、  その輸送ＩＤを燃料供給者システムおよび燃料利用者システムに対して送信する輸送ＩＤ送信手順と、前記燃料供給者から燃料の輸送を希望する旨の燃料輸送要求データを受信した場合に、燃料供給者の識別ＩＤおよび輸送ＩＤが登録済みのＩＤであるか否かの認証確認を行う識別ＩＤ認証手順と、その識別ＩＤおよび輸送ＩＤが登録済みＩＤであることが確認できた場合に、前記供給者貯蔵タンクに開放要求データを送信し、その供給者貯蔵タンクが開放されたことが確認された場合に、前記輸送設備に供給者貯蔵タンクから利用者貯蔵タンクへ自然エネルギーおよび再生可能エネルギー起源燃料の輸送指示データを送信する輸送指示データ送信手順と、前記輸送設備に積み込まれた自然エネルギーおよび再生可能エネルギー起源燃料と、輸送設備から利用者貯蔵タンクへ輸送される自然エネルギーおよび再生可能エネルギー起源燃料の輸送量データとを記憶する輸送量データ記憶手順と、を備えた輸送管理方法に係る。
【００２０】
（請求項６）
請求項６記載の発明は、請求項５に記載の輸送管理方法を限定したものであり、
前記輸送量データに基づいて、燃料供給者および燃料利用者が自然エネルギーおよび再生可能エネルギー起源燃料の取引を行ったとされる証を作成するインベントリー作成手順と、そのインベントリーを記憶するインベントリー記憶手順と、前記燃料供給者および燃料利用者に対してインベントリーを送信するインベントリー送信手順と、を備えたことを特徴とする。
【００２１】
（請求項７）
請求項７記載の発明は、コンピュータに対し、コンピュータ制御された燃料供給者に係る供給者貯蔵タンクに格納された自然エネルギーおよび再生可能エネルギー起源燃料を、輸送設備を介してコンピュータ制御された燃料利用者に係る利用者貯蔵タンクに輸送するとともに、供給者貯蔵タンクと利用者貯蔵タンクと輸送設備とが通信ネットワークを介して接続された輸送管理方法をコンピュータに実行するためのプログラムを提供する。
そのプログラムは、前記燃料供給者、燃料利用者および輸送設備を予め利用者登録して識別ＩＤを発行し、その識別ＩＤを記憶する識別ＩＤ記憶手順と、  前記燃料利用者が自然エネルギーおよび再生可能エネルギー起源燃料の購入を希望する場合に、その自然エネルギーおよび再生可能エネルギー起源燃料に係る購入希望データを受信し、燃料利用者と燃料供給者との間で売買契約が成立した場合に、前記購入希望データを取引データとして記憶する取引データ記憶手順と、その取引データに基づいて輸送計画を作成する輸送計画作成手順と、その輸送計画を前記取引データとともに輸送ＩＤとして記憶する輸送ＩＤ記憶手順と、その輸送ＩＤを燃料供給者システムおよび燃料利用者システムに対して送信する輸送ＩＤ送信手順と、  前記燃料供給者から燃料の輸送を希望する旨の燃料輸送要求データを受信した場合に、燃料供給者の識別ＩＤおよび輸送ＩＤが登録済みのＩＤであるか否かの認証確認を行う識別ＩＤ認証手順と、その識別ＩＤおよび輸送ＩＤが登録済みＩＤであることが確認できた場合に、前記供給者貯蔵タンクに開放要求データを送信し、その供給者貯蔵タンクが開放されたことが確認された場合に、前記輸送設備に供給者貯蔵タンクから利用者貯蔵タンクへ自然エネルギーおよび再生可能エネルギー起源燃料の輸送指示データを送信する輸送指示データ送信手順と、前記輸送設備に積み込まれた自然エネルギーおよび再生可能エネルギー起源燃料と、輸送設備から利用者貯蔵タンクへ輸送される自然エネルギーおよび再生可能エネルギー起源燃料の輸送量データとを記憶する輸送量データ記憶手順と、輸送量データに基づいて、燃料供給者および燃料利用者が自然エネルギーおよび再生可能エネルギー起源燃料の取引を行ったとされる証を作成するインベントリー作成手順と、そのインベントリーを記憶するインベントリー記憶手順と、前記燃料供給者および燃料利用者に対してインベントリーを送信するインベントリー送信手順と、をコンピュータに実行させるためのコンピュータプログラムに係る。
【００２２】
上記のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ当該プログラムを伝送することも可能である。
【発明の効果】
【００２３】
請求項１から請求項４記載の発明によれば、自然エネルギーおよび再生可能エネルギー起源燃料の製造および輸送についての信頼性を付与した技術を提供することができた。また、輸送設備に関する管理等を遠隔操作することで、効率的な燃料輸送を可能とするシステムを提供することができた。
請求項５から請求項６記載の発明によれば、自然エネルギーおよび再生可能エネルギー起源燃料の製造および輸送についての信頼性を付与した技術を提供することができた。また、輸送設備に関する管理等を遠隔操作することで、効率的な燃料輸送を可能とするプロセスを提供することができた。
請求項７記載の発明によれば、自然エネルギーおよび再生可能エネルギー起源燃料の製造および輸送についての信頼性を付与した技術を提供することができた。また、輸送設備に関する管理等を遠隔操作することで、効率的な燃料輸送の実行を可能とするコンピュータプログラムを提供することができた。
【発明を実施するための最良の形態】
【００２４】
以下、本発明を実施の形態及び図面に基づいて、更に詳しく説明する。ここで使用する図面は、図１から図１３である。図１は、自然エネルギーおよび再生可能エネルギー起源燃料の輸送管理システム輸送管理システムの全体構成を示す概略図であり、図２は、中央管理装置の構成を示すブロック図であり、図３は、輸送管理の全体の流れを示したフローチャートである。
【００２５】
輸送管理システムは、燃料供給者が製造または調達した自然エネルギーおよび再生可能エネルギー起源燃料を貯蔵する供給者貯蔵タンクと、供給者貯蔵タンクを制御する燃料供給者システムと、自然エネルギーおよび再生可能エネルギー起源燃料を利用する燃料利用者に係る利用者貯蔵タンクと、その利用者貯蔵タンクを制御する燃料利用者システムと、供給者貯蔵タンクに貯蔵された自然エネルギーおよび再生可能エネルギー起源燃料を利用者貯蔵タンクに輸送する輸送設備とによって構成されており、これらが通信ネットワークを介して相互に接続されたシステムである。
【００２６】
ここで、「自然エネルギーおよび再生可能エネルギー起源燃料」とは、風力、太陽光、地熱、水力のエネルギーを用いて製造した燃料、あるいはバイオマス由来の燃料を液化または気化して貯蔵可能な燃料として生成したものである。
【００２７】
（システム概要）
中央管理装置は、輸送管理の効率化を図るためにインターネット等で接続された燃料供給者システムおよび燃料利用者システムにおける各貯蔵タンクの遠隔操作が可能となっている。また、燃料供給者および燃料利用者による自然エネルギーおよび再生可能エネルギー起源燃料の取引の信頼性を保持するための認証機能を備えている。本実施形態の中央管理装置は、公的機関によって運営されており、燃料供給者、燃料利用者および輸送設備のいずれとも資本関係を有しない。
【００２８】
中央管理装置は図２に示すように、本体内にＣＰＵ（Central Processing Unit：中央処理装置）やメインメモリ等により構成された演算処理部、演算処理の為のソフトウェアを記憶したハードディスク、およびこれらのデータの入出力部である入出力ポートが備えられている。この入出力ポートには、入力部であるキーボード，マウス、表示部、インターネットなどの通信ネットワークに接続可能な通信部およびプリンタなどの出力部などの周辺機器が接続されている。ハードディスクには、オペレーティングシステム（ＯＳ）やアプリケーションソフトのほか、燃料供給者、燃料利用者および輸送設備に係る認証用データなどの各種データが格納されたデータベースを備えている。
【００２９】
燃料供給者システムは、自然エネルギーおよび再生可能エネルギー起源燃料を貯蔵する供給者貯蔵タンクを備えている。また、製造設備および供給者貯蔵タンクを制御するコンピュータを備えている。このコンピュータは、ＣＰＵ、演算処理部、ハードディスク、入出力ポート、キーボード，マウス、表示部、通信部および出力部などが備えられ、中央管理装置と基本的な構成は同様である。製造設備で製造された自然エネルギーおよび再生可能エネルギー起源燃料は、主に燃料利用者に輸送設備を介して提供することになる。
【００３０】
図１に示すように、供給者貯蔵タンクは、燃料の積み込みを行うための開閉弁となる給油装置と、貯蔵タンク内の燃料の貯蔵量や積込量を計測するための計量装置と、給油装置、計量装置制御を行う貯蔵タンク制御部と、輸送設備の燃料供給弁と接続された端末接続部と接続される供給者端末接続部とを備えている。計量装置は、燃料の積み込み開始から燃料の積み込み停止までの積み込みデータを記録する。また、後述するが、燃料供給者システムおよび供給者貯蔵タンクには、それぞれ供給者ＩＤおよび貯蔵タンクＩＤが付与される。
【００３１】
燃料利用者システムは、自然エネルギーおよび再生可能エネルギー起源燃料を貯蔵する利用者貯蔵タンクと、この利用者貯蔵タンクを制御する制御装置を備えている。ここで、燃料利用者とは、電気事業者を含めた燃料消費者の総称のことであり、これには一般家庭も含まれる。
利用者貯蔵タンクは、燃料の積み込みを行うための開閉弁となる給油装置と、貯蔵タンク内の燃料の貯蔵量や供給量をけいそくするための計量装置と、給油装置、計量装置の制御を行う貯蔵タンク制御部と、輸送設備の燃料供給弁と接続された端末接続部と接続される利用者端末接続部とを備えている。計量装置は、燃料の積み込み開始から燃料の積み込み停止までの供給データを記録する。また、燃料利用者システムおよび利用者貯蔵タンクには、それぞれ利用者ＩＤおよび貯蔵タンクＩＤが付与される。
【００３２】
輸送設備は、供給者貯蔵タンクから利用者貯蔵タンクへと燃料を輸送するための仲介機能を有しており、燃料供給弁と、この燃料供給弁の制御を行う輸送設備制御部と、供給者貯蔵タンクおよび利用者貯蔵タンクの各端末接続部と接続される輸送設備用の端末接続部とを備えている。輸送設備は、例えば輸送車などの広範囲を移動可能な形態として形成される。
また、輸送設備には、識別ＩＤとして輸送車ＩＤが付与される。なお、本実施形態では、供給者貯蔵タンクから輸送設備に積み込まれる燃料を積み込みデータとし、輸送設備から利用者貯蔵タンクに積み込まれる燃料を供給データと定義する。
【００３３】
図３に示すように、中央管理装置は、燃料供給者システム、燃料利用者システムおよび輸送設備を予め利用者登録するための利用申請データを受信する利用申請データ受信手段と、その利用申請データに基づいて、燃料供給者システム、燃料利用者システムおよび輸送設備に対し、識別ＩＤを発行する識別ＩＤ発行手段と、燃料利用者システムが自然エネルギーおよび再生可能エネルギー起源燃料の購入を希望する場合に、その自然エネルギーおよび再生可能エネルギー起源燃料に係る購入希望データを受信する購入希望データ受信手段と、燃料利用者システムと燃料供給者システムとの間で売買契約が成立した場合に、購入希望データを取引データとして記憶する取引データ記憶手段と、その取引データに基づいて輸送計画を作成する輸送計画作成手段と、その輸送計画を取引データとともに輸送ＩＤとして記憶する輸送ＩＤ記憶手段と、その輸送ＩＤを燃料供給者システムおよび燃料利用者システムに対して送信する輸送ＩＤ送信手段と、燃料供給者システムから燃料の輸送を希望する旨の燃料輸送要求データを受信する燃料輸送要求データ受信手段と、その燃料輸送要求データを送信した燃料供給者システムの識別ＩＤおよび輸送ＩＤが登録済みのＩＤであるか否かの認証確認を行う識別ＩＤ認証手段と、その識別ＩＤおよび輸送ＩＤが登録済みＩＤであることが確認できた場合に、輸送ＩＤを参照して供給者貯蔵タンクに開放要求データを送信する開放要求データ送信手段と、開放要求データを受信した供給者貯蔵タンクが開放されたことが確認された場合に、輸送設備に供給者貯蔵タンクから利用者貯蔵タンクへ自然エネルギーおよび再生可能エネルギー起源燃料の輸送指示データを送信する輸送指示データ送信手段と、輸送設備に積み込まれた自然エネルギーおよび再生可能エネルギー起源燃料と、輸送設備から利用者貯蔵タンクへ輸送される自然エネルギーおよび再生可能エネルギー起源燃料の輸送量データとを記憶する輸送量データ記憶手段とを備えている。
【００３４】
また、輸送量データに基づいて、燃料供給者および燃料利用者が自然エネルギーおよび再生可能エネルギー起源燃料の取引を行ったとされる証を作成するインベントリー作成手段と、そのインベントリーを記憶するインベントリー記憶手段と、燃料供給者および燃料利用者に対してインベントリーを送信するインベントリー送信手段とを備えている。
以下、図３〜図１２を参照して中央管理装置の詳細機能および処理手順を説明する。
【００３５】
（発電設備の認証）
図４に示すように、燃料利用者システムに係る発電設備等燃料消費設備は、国に定められた第三者機関によって事前認証されることで再生可能エネルギー起源の電気とみなされる。認証申請データは、発電事業者名、発電設備名称、所在地、発電出力、燃料名および構造図等の各種データである。第三者機関では、認証申請データに基づいた認証審査が行われ、審査に通過した発電設備に対して認証設備としての設備認定を与える。また、燃料供給設備および貯蔵タンクについても同様な設備認証が可能である。
【００３６】
（利用申請および識別ＩＤの付与）
本実施形態に係る輸送管理システムを利用するためには、中央管理装置にいわゆるユーザ登録としての利用申請を行い、識別ＩＤを付与してもらうことで利用可能となる。以下、その処理手順を説明する。
図５は、燃料供給者システムが利用申請を行い、識別ＩＤの付与を受けるまでの処理手順を示したものである。利用申請データ受信手段が燃料供給者システムから送信される利用申請データを受信する。この利用申請データは、供給者、認証設備概要、機器、燃料種類および燃料性状などが入力された供給設備データのことである。利用申請データは、識別ＩＤデータベースに登録されるとともに、識別ＩＤ発行手段が燃料供給者システムに対し、認証番号としての供給者ＩＤおよび貯蔵タンクＩＤを付与する。また、燃料供給者システムは、製造量を定期的に入力し、その製造量データを燃料保管量、取引可能量として燃料保管量データベースに記録する。
【００３７】
図６は、燃料利用者システムが利用申請を行い、識別ＩＤの付与を受けるまでの処理手順を示したものである。燃料利用者システムの利用申請データは、会社名、連絡先、発電設備概要、使用燃料種類などの各種データのことである。利用申請データは、識別ＩＤデータベースに登録されるとともに、識別ＩＤ発行手段が燃料利用者システムに対し、認証番号としての利用者ＩＤおよび貯蔵タンクＩＤを付与する。
【００３８】
図７は、輸送設備が利用申請を行い、識別ＩＤの付与を受けるまでの処理手順を示したものである。輸送設備の利用申請データは、会社名、連絡先、設備概要等の各種データのことである。利用申請データは、識別ＩＤデータベースに登録されるとともに、識別ＩＤ発行手段が輸送設備に対し、認証番号としての輸送車ＩＤを付与する。
【００３９】
（売買交渉および取引成立）
図８は、燃料供給者と燃料利用者とにおける燃料の売買交渉および取引についての処理手順を示している。
燃料利用者は、利用者ＩＤおよび必要に応じてパスワードを入力して輸送管理システムにログインし、自然エネルギーおよび再生可能エネルギー起源燃料の購入希望として設定する購入希望データを入力する。入力された購入希望データは、購入希望データ受信手段が受信する。購入希望データとは、燃料利用者が燃料供給者の持っている燃料の中から希望条件に適合する燃料を選択したデータのことであり、これには、購入希望社名（燃料供給者）、燃料種類（エタノール、メタノール、水素など）、熱量の上下限、主成分、不純物量、納期、上限価格のほか、納期を優先するなどの優先項目入力データなどの各種データがある。
【００４０】
ここで、中央管理装置にて取引受付を行う場合、または、燃料供給者と燃料利用者間で直接売買交渉を行う場合のいずれかの選択をする。中央管理装置にて取引受付を行うとした場合には、燃料利用者に取引に係る取引燃料データを通知する。一方、燃料供給者と燃料利用者間で直接売買交渉を行うとした場合には、取引内容の確定後、取引データを中央管理装置へと通知する。上記のいずれかの売買交渉で成立した取引データは、取引データ記憶手段が取引データデータベースに記録する。
【００４１】
（輸送計画）
図９は、輸送計画から輸送ＩＤの発行に関する処理手順を示している。輸送計画は、輸送計画作成手段によって実現され、複数の輸送車や、取引データに係る供給者貯蔵タンク、利用者貯蔵タンクなどに基づいて最も合理的な輸送ルートを算出するアルゴリズムを備えた演算手段である。
【００４２】
供給者ＩＤを入力すると、燃料供給者の供給者ＩＤの各種データが格納された燃料供給者データベースにアクセスし、入力した燃料供給者に関する取引データがあるか否かを判別し、取引データがあればその取引データを取得する。すなわち、売買交渉の際に、中央管理装置を介して取引受付を行った燃料供給者のデータを取得することになる。取引受付があれば、輸送方法が決定しているか否かを判別し、輸送方法が決定している場合には、輸送データを入力する。この輸送データは、輸送先、輸送予定日時、輸送設備、燃料性状、供給量、貯蔵タンクＩＤなどの各種データである。
一方、輸送方法が決定していない場合には、燃料供給者に輸送方法の希望項目を入力してもらう。これは、希望輸送データというもので、輸送設備機種、輸送設備概要、輸送量、燃料種類、輸送予定日時、費用などの各種データである。希望輸送データの入力が完了すると、現時点で使用可能な輸送設備が検索される。検索された使用可能な輸送設備の中から所望する輸送設備を選択する。
【００４３】
輸送設備および輸送内容の確認が行われた輸送データおよび希望輸送データは、輸送予定データとして受信し、データの整合性をチェックする。この輸送予定データは、輸送予定データデータベースに保管する。また、輸送予定データに基づいて、輸送ＩＤが作成される。この輸送ＩＤは、所定の番号などの電子データを割り振った識別子のことであり、燃料の輸送要求がされた際に整合性のチェックや管理に用いられる。輸送ＩＤは、輸送ＩＤ−１および輸送ＩＤ−２に分けられており、輸送ＩＤ送信手段が燃料供給者システムに輸送ＩＤ−１を送信する。また、燃料利用者システムには、輸送ＩＤ−２を送信する。輸送ＩＤは、輸送ＩＤ記憶手段が取引データとともに輸送ＩＤとして記憶する。
【００４４】
（燃料輸送：供給者貯蔵タンクから輸送設備）
次に、供給者貯蔵タンクから輸送設備、輸送設備から利用者貯蔵タンクへの燃料輸送について説明する。
図１０は、供給者貯蔵タンクから輸送設備に燃料を輸送する際の中央管理装置と燃料供給者システム（図１０では燃料供給者コンピュータと表記）との処理手順を示している。なお、本実施形態の供給者貯蔵タンクには、供給者貯蔵タンクの各種動作を設定するための設定器を備え、この設定器で入力された命令データを貯蔵タンク制御部が制御することで、各種動作が行われる。
【００４５】
燃料輸送を希望する燃料供給者が供給者貯蔵タンクの設定器を用いて輸送車ＩＤを入力し、輸送計画に基づいた輸送量を燃料供給者システムから受信する。受信したデータは、データの整合性がチェックされる。供給者貯蔵タンクの端末接続部と輸送設備の端末接続部との接続を確認し、正常であれば接続完了データを燃料供給者システムに送信する。燃料供給者システムは、供給者貯蔵タンクと輸送設備とが接続された接続完了データを受信し、輸送設備の制御部との接続を確認する。正常に接続されると、中央管理装置との通信を開始し、供給者ＩＤを送信する。中央管理装置は、燃料輸送要求データ受信手段が供給者ＩＤ、輸送車ＩＤおよび輸送ＩＤ−１を受信し、供給者貯蔵タンクと輸送設備との接続確認および弁開要求信号を受信する。識別ＩＤ認証手段が供給者ＩＤおよび輸送車ＩＤの整合性をチェックする。問題がなければ、開放要求データ送信手段が供給者貯蔵タンクに弁開指令データを送信する。
ここで、弁開指令データとは、燃料供給者および輸送設備が正規の登録会員であることの確認が取れたため、燃料供給者システムに対し、供給者貯蔵タンクの開放を要求するデータのことである。
【００４６】
燃料供給者システムは、弁開指令データを受信し、その弁開指令データを供給者貯蔵タンクの設定器に送信する。設定器は、弁開指令データを受信すると、輸送設備に燃料を輸送計画にて設定された積み込みデータに基づいて積み込む。設定された積み込み量に到達したことが確認されると、供給者貯蔵タンクの開閉弁が閉じられる。また、輸送設備の開閉弁も閉じられる。計量装置によって供給者貯蔵タンクから輸送設備への燃料の積み込み量が計算され、データの整合性がチェックされると、その積み込みデータを燃料供給者システムへと送信する。燃料供給者システムは、積み込みデータを受信する。積み込みデータは、ハードディスクに格納した後、中央管理装置へと転送する。中央管理装置では、積み込みデータを受信するとデータの整合性をチェックする。問題がなければ輸送データデータベースに積み込みデータを格納する（輸送量データ記憶手段）。
【００４７】
（燃料輸送：輸送設備から利用者貯蔵タンク）
図１１は、輸送設備から利用者貯蔵タンクに燃料を輸送する際の中央管理装置と燃料利用者システム（図１１では燃料利用者コンピュータと表記）との処理手順を示している。利用者貯蔵タンクには、供給者貯蔵タンクと同様に設定器を備えている。
【００４８】
燃料輸送を希望する燃料利用者が供給者貯蔵タンクの設定器を用いて輸送車ＩＤを入力し、輸送計画に基づいた輸送量を燃料利用者システムから受信する。受信したデータは、データの整合性がチェックされる。利用者貯蔵タンクの端末接続部と輸送設備の端末接続部との接続を確認し、正常であれば接続完了データを燃料利用者システムに送信する。燃料利用者システムは、利用者貯蔵タンクと輸送設備とが接続された接続完了データを受信し、輸送設備の制御部との接続を確認する。正常に接続されると、中央管理装置との通信を開始し、利用者ＩＤを送信する。中央管理装置は、燃料輸送要求データ受信手段が利用者ＩＤ、輸送車ＩＤおよび輸送ＩＤ−２を受信し、利用者貯蔵タンクと輸送設備との接続確認および弁開要求信号を受信する。識別ＩＤ認証手段が利用者ＩＤ、輸送車ＩＤおよび輸送ＩＤの整合性をチェックする。問題がなければ、開放要求データ送信手段が利用者貯蔵タンクに弁開指令データを送信する。
【００４９】
燃料利用者システムは、弁開指令データを受信し、その弁開指令データを利用者貯蔵タンクの設定器に送信する。設定器は、弁開指令データを受信すると、輸送設備に燃料を輸送計画にて設定された供給データに基づいて積み込む。設定された供給量に到達したことが確認されると、利用者貯蔵タンクの開閉弁が閉じられる。また、輸送設備の開閉弁も閉じられる。計量装置によって輸送設備から利用者貯蔵タンクへの燃料の供給量が計算され、データの整合性がチェックされると、その供給データを燃料利用者システムへと送信する。燃料利用者システムは、供給データを受信する。供給データは、ハードディスクに格納した後、中央管理装置へと転送する。中央管理装置では、供給データを受信するとデータの整合性をチェックする。問題がなければ輸送データデータベースに供給データを格納する（輸送量データ記憶手段）。
【００５０】
（輸送ルートの算出）
ここで、輸送計画作成手段が作成した輸送計画の輸送形態の一例を説明する。例えば、燃料供給者の設備がＸ地点に存在し、ここから燃料を積み込んだ輸送車がＢ地点、Ｃ地点およびＤ地点にある燃料利用者へ燃料輸送を行うとする。Ｂ地点、Ｃ地点およびＤ地点は、それぞれ輸送先、輸送予定時間、供給量などが異なっている。この場合、輸送計画に設定されたデータをもとに、輸送車が無駄な移動を最小限にするための最適輸送ルートを算出し、その最適輸送ルートを輸送車が受信することで、効率的な輸送を行うようにしている。つまり、同日に１３時にＢ地点、１４時にＣ地点、１５時にＤ地点に輸送する場合、Ｂ地点、Ｃ地点およびＤ地点と時間順に輸送していくよりも、距離に応じてルート変更したほうが良い場合があるからである。
【００５１】
また、Ｘ地点の設備からは離れているが、輸送先のＢ地点、Ｃ地点およびＤ地点に近い場所であるＹ地点に設備がある場合には、輸送車が輸送後の空となった輸送車タンクに燃料を積んで帰ってくると、行き帰りの輸送車の燃料（ガソリン等）の消費が低減されることになる。つまり、自然エネルギーおよび再生可能エネルギー起源燃料の利用促進に関する技術であることからも、その自然エネルギーおよび再生可能エネルギー起源燃料を輸送する輸送車から排出される排ガス量を低減させなければ環境貢献の趣旨を全うしているとはいえないが、本実施形態のように、輸送ルートの計画を作成することで、環境貢献に寄与することができる。これにより、効率的な輸送を行うことができるようになる。
【００５２】
また、燃料積載容量の異なる輸送車を複数用意しておき、輸送する燃料の容量に応じて輸送車を使い分けたりしても良い。輸送燃料が少ない場合に必要以上に積載容量の大きな輸送車を使用することは、排ガス量の増大を招くことになるからである。
【００５３】
（インベントリーの発行）
図１２は、インベントリーの発行について示したものである。インベントリーは、積み込みデータおよび供給データなどの取引データに基づいて、電子データとして識別可能に作成された証書のことであり、燃料供給者および燃料利用者の双方に定期的に発行されるものである。燃料供給者においては、自然エネルギーおよび再生可能エネルギー起源燃料の製造量および輸送量の証明として、燃料利用者においては、自然エネルギーおよび再生可能エネルギー起源燃料の供給量の証明となる。
【００５４】
インベントリー作成手段が、燃料供給者および燃料利用者が自然エネルギーおよび再生可能エネルギー起源燃料の取引を行ったとされる証を作成する。インベントリー記録手段がインベントリーをハードディスクなどに格納する。なお、インベントリーを記録する媒体としては、本システムとは物理的に離れた場所にあるサーバなどに保存しても良い。インベントリー送信手段が燃料供給者および燃料利用者に対してインベントリーを送信する。
【００５５】
すなわち、燃料供給者および燃料利用者に係る取引データをインベントリーとして作成して送信することで、自然エネルギーおよび再生可能エネルギー起源燃料の供給量および使用量を公的機関などに対して証明することができる。なお、公的機関からの要求があれば、インベントリーを閲覧またはダウンロードを可能としている。これにより、燃料供給者および燃料利用者がどの程度の自然エネルギーおよび再生可能エネルギー起源燃料を輸送しているかが一目に可能となる。
【００５６】
また、本実施形態によれば、第三者機関によって燃料供給設備が事前に認証され、その燃料供給設備、輸送設備および燃料利用者を中央管理装置に登録することで識別ＩＤを付与する。輸送計画においては、輸送ＩＤを作成しておき、実際の燃料輸送時には、それぞれの識別ＩＤに基づいて整合性をチェックする。このようにすることで、取引内容に関する信頼性を増大させることができる。
【００５７】
（第二実施形態）
図１３は、本発明に係る第二実施形態を示す概略図である。第二実施形態では、中央管理装置から発行されるインベントリーを他の第二第三者機関が認証しているシステムであり、インベントリーを別の第三者機関に送信する第二第三者機関送信手段と、その第二第三者機関によってインベントリーの整合性がチェックされた認証済みインベントリーを受信する認証済みインベントリーを受信手段とを備えている。なお、中央管理装置は、燃料供給者または燃料利用者によって運営されているものと設定している。
【００５８】
本システムでは、第二第三者機関送信手段が、インベントリーを第二第三者機関に対して送信する。認証済みインベントリー受信手段が、第二第三者機関によってインベントリーの整合性がチェックされた認証済みインベントリーを受信する。
なお、第二第三者機関とは、インベントリーの信頼性をより高めるために設けられたインベントリーを認証するための認証機関であり、国や政府などが該当する。これは、本実施形態では中央管理装置が燃料供給者または燃料利用者よって運営されているため、資本関係が発生することになる。このため、インベントリーの信頼性としては不十分となっている。しかしながら、第二第三者機関にインベントリーを送信することで、信頼性の問題を解消している。また、第二第三者機関にインベントリーを送信すれば、自然エネルギーおよび再生可能エネルギー起源燃料の輸送および供給の証明を行うことになる。このため、燃料供給者および燃料利用者の義務量の証明を省略することができる。
【００５９】
また、第一実施形態のように、中央管理装置が第三者機関である国や政府によって運営されている場合であっても、第二第三者機関を採用し、インベントリーの送信を行うこともできる。このようにすれば、取引内容に関する信頼性をより増大させることができる。
【００６０】
なお、第一実施形態および第二実施形態の輸送管理システムにおいて、燃料利用者が一般家庭などであり、インターネット接続機能を持たない場合には、売買交渉は電話等で行い、供給時の弁開放時の指示等は、輸送設備の通信手段が燃料利用者の通信手段を兼ねることになる。つまり、中央管理装置から各データの送受信が行われることになる。
【００６１】
なお、上述した実施形態においては、自然エネルギーおよび再生可能エネルギー起源燃料の輸送および供給の認証を行ったが、本発明はこれらに限定されず、その他の燃料の輸送および供給の際の認証についても同様に適用できるものである。
【図面の簡単な説明】
【００６２】
【図１】第一実施形態に係る輸送管理システムの全体構成を示す概略図である。
【図２】中央管理装置の構成を示すブロック図である。
【図３】輸送管理システムの全体の流れを示したフローチャートである。
【図４】発電設備の認証申請の説明をしたフローチャートである。
【図５】燃料供給者システムが利用申請を行い、識別ＩＤの付与を受けるまでのフローチャートである。
【図６】燃料利用者システムが利用申請を行い、識別ＩＤの付与を受けるまでのフローチャートである。
【図７】輸送設備が利用申請を行い、識別ＩＤの付与を受けるまでのフローチャートである。
【図８】燃料供給者と燃料利用者とにおける燃料の売買交渉および取引について説明したフローチャートである。
【図９】輸送計画から輸送ＩＤの発行に関する説明をしたフローチャートである。
【図１０】供給者貯蔵タンクから輸送設備に燃料を輸送する際の処理を説明したフローチャートである。
【図１１】輸送設備から利用者貯蔵タンクに燃料を輸送する際の処理を説明したフローチャートである。
【図１２】インベントリーの発行について説明したフローチャートである。
【図１３】第二実施形態に係る輸送管理システムの全体構成を示す概略図である。
【図１】
2006117428.tif 000003
【図２】
2006117428.tif 000004
【図３】
2006117428.tif 000005
【図４】
2006117428.tif 000006
【図５】
2006117428.tif 000007
【図６】
2006117428.tif 000008
【図７】
2006117428.tif 000009
【図８】
2006117428.tif 000010
【図９】
2006117428.tif 000011
【図１０】
2006117428.tif 000012
【図１１】
2006117428.tif 000013
【図１２】
2006117428.tif 000014
【図１３】
2006117428.tif 000015